(57)【要約】  本発明は、収納姿勢と使用姿勢との間で移動することが可能で、両方の姿勢で自立するタイプのテーブル２に関する。このタイプは、通常、支持アーム１６に連結された脚を少なくとも２本有する。前記支持アームは、上記二つの姿勢の間で移動可能であって、使用姿勢にあるときは、相互にロックする歯部を有する係合手段２６、２８を介してテーブルの裏側にあるフレーム部材３４と係合し、従って確実に脚サポートアームをフレーム部材に固定してテーブルトップの支持を提供する。【選択図】図１ｂ
2010537762.tif 000002
【特許請求の範囲】
【請求項１】
フレームにより支持されるテーブルトップを備えるテーブルであって、前記フレームは複数の脚を有し、その少なくとも２本が収納姿勢と使用姿勢との間で枢動可能な可動支持アームに取り付けられ、前記使用姿勢にある時、前記支持アームの各々は前記テーブルトップの裏側に取り付けられたフレーム部材と係合し、相互に連結する係合手段は前記フレーム部材と前記支持アームの各々に設けられ、前記係合手段は、前記支持アームと前記フレーム部材とが接触する時に相互に連結して、前記使用姿勢にある時に前記テーブルトップを支持する、テーブル。
【請求項２】
前記係合手段は、マッチング歯部を備え、各係合手段の前記歯部は溝を形成するために離間配置され、各溝は他方の係合手段の歯部を受け入れて、前記係合手段が相互に連結しているとき支持を提供することを特徴とする請求項１に記載のテーブル。
【請求項３】
前記係合手段は、前記フレーム部材又は前記支持アームの開口部内に受け入れられて保持されることを特徴とする請求項１に記載のテーブル。
【請求項４】
前記係合手段が確実に前記フレーム部材又は前記支持アーム内に保持されるように、保持手段が設けられていることを特徴とする請求項３に記載のテーブル。
【請求項５】
前記係合手段は、前記フレーム部材に対する前記支持アームの各々の枢動移動が、少なくとも前記移動の一部において、前記係合手段の歯部によりそれらが相互係合するように導かれるように、形成されることを特徴とする請求項１に記載のテーブル。
【請求項６】
前記係合手段の前記相互係合は、前記支持アームを前記フレーム部材と整列させ、前記使用姿勢にある時に、前記フレームに支持される前記テーブルトップが確実に略水平面に維持することを特徴とする請求項５に記載のテーブル。
【請求項７】
前記係合手段が一旦相互係合されると、ラッチ又は他の位置決め装置がラッチング位置へ移動し、それによりそれぞれの前記支持アームが前記フレーム部材に対し所定位置に保持されることを特徴とする請求項１に記載のテーブル。
【請求項８】
ラッチが前記支持アームの各々に設けられ、一旦ロックされると前記テーブルが前記使用姿勢にロックされることを特徴とする請求項１に記載のテーブル。
【請求項９】
前記テーブルを前記使用姿勢から前記収納姿勢へ動かすために、前記ラッチが解除され、その後、前記支持アームが枢動して、それぞれの前記係合手段の係合が解除されることを特徴とする請求項７に記載のテーブル。
【請求項１０】
前記脚の前記支持アームは、前記支持アームが前記収納姿勢へ動く時、前記テーブルが確実に自らを支持できるように、前記支持アームのそれぞれの前記脚と前記テーブルの残りの脚とがなお十分に離間配置されるように、少なくとも１つの屈曲部を有することを特徴とする請求項１に記載のテーブル。
【請求項１１】
前記脚は、収納姿勢及び使用姿勢の両方において前記テーブルが平面に沿って移動できるように、その基部にキャスタや車輪を備えていることを特徴とする請求項１に記載のテーブル。
【請求項１２】
前記使用姿勢にある時に前記テーブルトップが確実に略水平面に維持されるように、前記テーブルトップの前記裏側の選択個所に取り付けられたスペーサ手段が設けられていることを特徴とする請求項１に記載のテーブル。
【請求項１３】
前記テーブルが前記使用姿勢にある時、前記スペーサ手段は、前記フレーム部材と前記テーブルトップの前記裏側との間に設けられ、及び／又は、前記支持アームと前記テーブルトップの前記裏側との間に設けられることを特徴とする請求項１２に記載のテーブル。
【請求項１４】
前記支持アームのために配置された前記スペーサ手段は、その先端部に傾斜部を有し、前記支持アームが前記使用姿勢へ移動している時に前記スペーサ手段の前記傾斜部に接触し、前記使用姿勢にある時に前記傾斜部が前記支持アームを前記スペーサの広幅部に導くように作用することを特徴とする請求項１３に記載のテーブル。
【請求項１５】
前記支持アームは、固定フレームアセンブリに対し枢動可能に取り付けられており、前記固定フレームアセンブリは固定位置に取り付けられた少なくとも１つの脚を有することを特徴とする請求項１に記載のテーブル。
【請求項１６】
前記フレームアセンブリは、前記テーブルトップの１つの長手方向の端部に隣接して取り付けられており、前記フレーム部材は、係合手段とともに、前記テーブルトップの前記対向する端部に隣接して固定位置に取り付けられていることを特徴とする請求項１５に記載のテーブル。
【発明の詳細な説明】
【技術分野】
【０００１】
本出願に関わる発明は、収納姿勢と、テーブルトップが略水平面となる使用姿勢との間で動かすことができる、テーブルのなどの家具に関する。収納姿勢にある時、テーブルトップは略垂直面に維持される。テーブル脚は、収納姿勢でも使用姿勢でも、略垂直位置に維持され、いずれの姿勢でもテーブルが立設できるように、脚間の距離を十分に取って、床面などの平面に沿って移動可能となる。
【背景技術】
【０００２】
出願人は許可された特許EP0966216の中で上記のタイプのテーブルを記載している。
【０００３】
このタイプのテーブルに、商業的魅力があることは知られている。それは、収納状態へ移動が可能であり、複数の上記テーブルを収納して床スペースを他の使用に残すことができることに加えて、収納姿勢でも使用姿勢でも上記平面に沿って移動可能であるということは、特別に力が強い者やそれを許可された個人のみというより、むしろ誰もが、それを上記の姿勢間で適用でき、特定の場所へ移動できることを意味するからである。このことにより、このタイプのテーブルの設置と並べる速度が大幅に向上する。
【０００４】
出願人はこれらのテーブルの設計の開発を継続して行い、テーブルの操作性をさらに改良する多くの特徴を見極めてきた。その一方で平行して、製造するにも購買するにおいても一層経済的なものにしてきた。
【発明の概要】
【発明が解決しようとする課題】
【０００５】
従って本発明の目的は、これらの改良を保護し、上記テーブルをより効率良く使用でき、製造できるようにすることである。
【課題を解決するための手段】
【０００６】
本発明の第１の態様において提供されるテーブルは、フレームにより支持されるテーブルトップを備えるテーブルであって、前記フレームは複数の脚を有し、その少なくとも２本が収納姿勢と使用姿勢との間で枢動可能な可動支持アームに取り付けられ、前記使用姿勢にある時、前記支持アームの各々は前記テーブルトップの裏側に取り付けられたフレーム部材と係合し、相互に連結する係合手段は前記フレーム部材と前記支持アームの各々に設けられ、前記係合手段は、前記支持アームと前記フレーム部材とが接触する時に相互に連結して、前記使用姿勢にある時に前記テーブルトップを支持する、テーブルである。
【０００７】
一実施例において、前記係合手段は、マッチング歯部を備え、各係合手段の前記歯部は溝を形成するために離間配置され、各溝は他方の係合手段の歯部を受け入れて、前記係合手段が相互に嵌合するとき支持を提供する。
【０００８】
一実施例において、前記係合手段は、プラスチック材料により形成され、前記フレーム部材又は前記支持アームの開口部内に受け入れられて保持される。
【０００９】
一実施例において、前記係合手段が確実に前記フレーム部材又は前記支持アーム内に保持されるように、保持手段が設けられている。
【００１０】
一実施例において、前記係合手段は、前記フレーム部材に対する前記支持アームの各々の枢動移動が、少なくともその最終段階において、前記係合手段の歯部によりそれらが相互係合するように導かれるように、形成される。
【００１１】
このように、前記係合手段の前記相互係合は、また、前記支持アームを前記フレーム部材と整列させるように作用し、前記使用姿勢にある時に、前記フレームに支持される前記テーブルトップは確実に略水平面に維持される。
【００１２】
一実施例において、前記係合手段が一旦相互係合されると、ラッチ又は他の位置決め装置がラッチング位置へ移動し、それによりそれぞれの前記支持アームが前記フレーム部材に対し所定位置に保持される。通常ラッチはフレーム部材に対する支持アームの各々に設けられる。一旦ラッチがかかるとフレームが形成され、テーブルトップの全ての脚が使用姿勢にロックされる。
【００１３】
通常、前記テーブルを前記使用姿勢から前記収納姿勢へ動かすために、前記ラッチが解除され、その後、前記支持アームが枢動して、それぞれの前記係合手段の係合が解除される。
【００１４】
通常、前記脚の前記支持アームは、前記支持アームが前記収納姿勢へ動く時、前記テーブルが確実に自らを支持できるように、前記支持アームのそれぞれの前記脚と前記テーブルの残りの脚とがなお十分に離間配置されるように、少なくとも１つの屈曲部を有する。
【００１５】
通常、前記脚は、収納姿勢及び使用姿勢の両方において前記テーブルが平面に沿って移動できるように、その基部にキャスタや車輪を備えている。
【００１６】
一実施例において、テーブルには、前記使用姿勢にある時に前記テーブルトップが確実に略水平面に維持されるように、前記テーブルトップの前記裏側の選択個所に取り付けられたスペーサ手段が設けられている。
【００１７】
一実施例において、前記テーブルが前記使用姿勢にある時、前記スペーサ手段は、前記フレーム部材と前記テーブルトップの前記裏側との間に設けられ、また前記支持アームと前記テーブルトップの前記裏側との間にも設けられる。
【００１８】
通常、前記支持アームのために配置された前記スペーサ手段は、その先端部に傾斜部を有し、前記支持アームが前記使用姿勢へ移動している時に前記スペーサ手段の前記傾斜部に接触し、前記使用姿勢にある時に前記傾斜部が前記支持アームを前記スペーサの広幅部に導くように作用する。
【００１９】
通常、前記支持アームは、固定フレームアセンブリに対し枢動可能に取り付けられており、前記固定フレームアセンブリは固定位置に取り付けられた少なくとも１つ、通常は２つの脚を有する。
【００２０】
通常、前記フレームアセンブリは、前記テーブルトップの１つの長手方向の端部に隣接して取り付けられており、前記フレーム部材は、また、係合手段とともに、前記テーブルトップの前記対向する端部に隣接して固定位置に取り付けられている。
【００２１】
一実施例において、スペーサを設けることにより典型的には矩形断面が20mm×70mmの標準サイズの管状部材をフレームとして使うことができる。
【００２２】
本発明の具体的な実施例について添付図面を参照して以下に説明する。
【図面の簡単な説明】
【００２３】
【図１ａ】本発明の一実施例における、収納、中間、及び使用姿勢におけるテーブルを表している。
【図１ｂ】本発明の一実施例における、収納、中間、及び使用姿勢におけるテーブルを表している。
【図１ｃ】本発明の一実施例における、収納、中間、及び使用姿勢におけるテーブルを表している。
【図２ａ】本発明の一実施例における係合手段を表している。
【図２ｂ】本発明の一実施例における係合手段を表している。
【図３ａ】本発明の一実施例における係合手段及びラッチを表している。
【図３ｂ】本発明の一実施例における係合手段及びラッチを表している。
【図３ｃ】本発明の一実施例における係合手段及びラッチを表している。
【図４ａ】本発明の一実施例におけるスペーサの実施例を表している。
【図４ｂ】本発明の一実施例におけるスペーサの実施例を表している。
【図５】本発明の一実施例におけるスペーサの実施例を表している。
【図６】本発明の一実施例におけるテーブル脚アセンブリを表している。
【発明を実施するための形態】
【００２４】
最初に図１ａ乃至１ｃについて説明する。本発明の一実施例におけるテーブル２は、詳細について後述するフレームアセンブリ４と、ヒンジ８、10を介してフレームにヒンジ結合されるテーブルトップ６とを有する。テーブルは説明のため略透明に描かれており、フレームの構成要素が見えるようにしてある。
【００２５】
図１ａについて説明する。テーブルが収納姿勢にあっても、フレーム４の脚12が十分に離間配置されており、脚に付いたローラ又はキャスタ14によってテーブルを床などの平面で自由に動かすことができ、さらに、テーブルは収納姿勢にあっても自らを支持し直立する。さらに、テーブルトップは略垂直面にあり、それにより収納姿勢にある時に、テーブルが覆う合計面積が大幅に減少し、多くのテーブルを入れ子にして一緒に収納することができる。
【００２６】
テーブルを使用姿勢で使いたい場合、矢印22、24がそれぞれ示すように、フレームの支持アーム16をそれぞれのピボット位置18、20の回りに枢動させる。図１ｂに示す中間姿勢にあっては、係合手段26、28は、それとかみ合う、テーブルトップの裏側に固定された固定フレーム部材34の端部に設けられた係合手段30、32にそれぞれ接近する。このように支持アーム16を引き続き動かすと、それぞれの係合手段が図１ｃに示すような相互係合関係に至る。この相互係合は、フレーム及びその上のテーブルトップを支持するとともに、フレーム部材34が支持アーム16と整列するよう作用し、それによりテーブルトップ６が所望の略水平面に維持される。
【００２７】
図２ａおよび２ｂは係合手段26、30をより詳しく表すものである。各係合手段は、支持アームの開口端内に又はフレーム部材34の開口部に、それぞれ嵌合するように設計された保持部36を含む。フレーム部材又は支持アームに形成された開口部とかみ合う一連の開口部を設けて、係合手段を適所に保持するために、ねじ又は他の保持手段による係合を可能にしてもよい。各係合手段はさらに突出部38を備え、その上に一連の歯部40が形成されている。係合手段26、30の歯部はそれぞれオフセットにあり歯部の間に溝が形成され、係合手段が合わさる時それらが相互に係合して効果的に連結関係が達成されるようになっている。上記相互連結関係により、確実にそれぞれの支持アームとフレーム部材とが正しく整列することとなる。さらに歯部の相互係合により主に垂直軸方向に支持がなされ、支持アームがフレーム部材から外れるケースが減少するように作用する。
【００２８】
図３ａ乃至３ｃは再びより詳しく係合手段を表すものである。図３ｃにおいては、ラッチ42が支持アーム又はフレーム部材の１つに第１のラッチ部42aを備え、他のフレーム部材又は支持アームに他のラッチ部42bを備えることを表している。ラッチは係合部42a、42bにより係合され、相互係合された係合手段30、26にまたがって機械的係合により支持アームをフレーム部材にしっかり取り付ける。このように、係合手段が一旦相互に係合するとラッチがラッチ位置へ移動し、それにより支持アームはフレーム部材と接触する。
【００２９】
ラッチは係合手段の各々に設けられており、一旦ラッチがかかると、テーブルを使用する間フレームは適所にロックされる。図１ａ乃至１ｃに示される実施例では、係合手段が備えられることに加えて、複数のスペーサ部材44，46が設けられる。スペーサ部材44は、図４ａ及び４ｂにより詳しく示されているように、テーブル６の裏側に取り付けられるプレート48と、フレーム部材34のいずれか一方の面に沿ってフレーム部材をスペーサ部材に固定し、テーブルの裏側に固定する２本の下方に延びる、アーム50、52とを有している。
【００３０】
スペーサ46は、図５により詳しく示されているように、テーブル６の裏側と接触する第１の面54と、傾斜部58を有し支持アームが使用姿勢へ動く時に支持アームと接触する対向面56とを有する。傾斜部58は、支持アームが使用姿勢に向かって方向62に動作する時、最初にスペーサに接触する位置に最小幅60を有し、図１ｃに示される使用姿勢にテーブルトップがある時に支持アームが停止する位置に最大幅64を有する。スペーサ部材を設けることにより、使用中テーブルトップを確実に略水平面に維持し、さらに標準サイズの管状部材を使用するという選択が可能になるので、それにより製造コストが低減される。
【００３１】
図６は、その基部でキャスタ68を、対向する端部でトップ及びボトムカバー70、72を受け入れる、長手の管状部材66を備えた脚アセンブリを表している。必要によりこれらのカバーは、追加のスペーサ部材として機能するよう配置され、トップカバー70は必要により、テーブルトップの裏側に接触する寸法の部分74を備えるようにしてもよい。
【００３２】
以上より、本発明によれば、収納姿勢と使用姿勢との間で移動することができるテーブルを、効率的かつ効果的な方法により、及び先行技術に対し改善された方法により、提供することができる。
【図１ａ】
2010537762.tif 000003
【図１ｂ】
2010537762.tif 000004
【図１ｃ】
2010537762.tif 000005
【図２ａ】
2010537762.tif 000006
【図２ｂ】
2010537762.tif 000007
【図３ａ】
2010537762.tif 000008
【図３ｂ】
2010537762.tif 000009
【図３ｃ】
2010537762.tif 000010
【図４ａ】
2010537762.tif 000011
【図４ｂ】
2010537762.tif 000012
【図５】
2010537762.tif 000013
【図６】
2010537762.tif 000014
【国際調査報告】
2010537762.tif 000015
2010537762.tif 000016